(57)【特許請求の範囲】
【請求項１】
第１の周波数帯を用いて送受信する第１の送受信システムと、
第２の周波数帯を用いて送受信する第２の送受信システムと、
第３の周波数帯の信号を受信する第１の受信システムと、
を少なくとも含み、
前記第１の周波数帯の信号と前記第２の周波数帯の信号の相互変調歪が前記第３の周波数帯に重なる周波数成分を有する複合情報端末装置であって、
前記第１の送受信システムと前記第２の送受信システムと前記第１の受信システムの三つのシステムのうち、予め定められた設定に従い、いずれか二つのシステムをオンとするか、あるいは、
前記第１の送受信システムと前記第２の送受信システムと前記第１の受信システムのうちの一つのシステムを常時オンとし、残りの二つのシステムについては、一方をオンとし他方をオフとし、つづいて一方をオフとし他方をオンとするように、交互にオン及びオフさせる排他制御を行う手段を備え、
前記第１の送受信システムが携帯電話端末よりなり、
前記第２の送受信システムが無線ＬＡＮ端末もしくはＢｌｕｅｔｏｏｔｈ端末よりなり、
前記第１の受信システムがＧＰＳ端末よりなる、
ことを特徴とする複合情報端末装置。
【請求項２】
前記第１、第２の送受信システムをオン及びオフ制御するにあたり、前記第１、第２の送受信システムのそれぞれのＲＦ送信部への電源供給を制御する電源スイッチをオン及びオフする、ことを特徴とする請求項１記載の複合情報端末装置。
【請求項３】
前記第１、第２の送受信システムをオン及びオフ制御するにあたり、前記第１、第２の送受信システムのそれぞれのＲＦ送信部の前記電源スイッチのオン及びオフとともに、前記第１、第２の送受信システムのそれぞれのＲＦ受信部への電源供給を制御する電源スイッチをオン及びオフする、ことを特徴とする請求項１記載の複合情報端末装置。
【請求項４】
前記第１、第２の送受信システムをオン及びオフ制御するにあたり、前記第１、第２の送受信システムのそれぞれのＲＦ送信部における送信信号の信号経路を接続状態、及び断状態に切替え制御する手段を備えた、ことを特徴とする請求項１記載の複合情報端末装置。
【請求項５】
前記第１の受信システムをオン及びオフ制御するにあたり、前記第１の受信システムのＲＦ受信部の電源供給を制御する電源スイッチをオン及びオフするか、又は、前記第１の受信システムにおけるＲＦ受信部における受信信号の信号経路を接続状態、及び断状態に切替え制御する、ことを特徴とする請求項１乃至４のいずれか一に記載の複合情報端末装置。
【請求項６】
前記第１の送受信システムを常時オンとし、前記第２の送受信システムと前記第１の受信システムについて一方をオンとして他方をオフとし、つづいて前記一方をオフとし前記他方をオンとして交互にオン及びオフさせる、ことを特徴とする請求項１記載の複合情報端末装置。
【請求項７】
前記第２の送受信システムは、必要に応じて、通信を行っている他の端末との送受信を保留状態に設定してオフ状態に移行する、ことを特徴とする請求項６記載の複合情報端末装置。
【請求項８】
携帯電話端末装置、ＧＰＳ端末装置、及びＢｌｕｅｔｏｏｔｈ端末装置を一体に備えた複合情報端末装置であって、
前記携帯電話端末装置、前記ＧＰＳ端末装置、及び前記Ｂｌｕｅｔｏｏｔｈ端末装置のいずれかの電源オンの要求が入力された際に、現在オン状態の端末装置と併せて、前記携帯電話端末装置、前記ＧＰＳ端末装置、及び前記Ｂｌｕｅｔｏｏｔｈ端末装置の三つの端末装置がオンに設定されるものであることを検出した場合、前記携帯電話端末装置、前記ＧＰＳ端末装置、及び前記Ｂｌｕｅｔｏｏｔｈ端末装置のうち二つをオンとし、残りの一つをオフとするか、あるいは、
前記携帯電話端末装置は常時オンとし、所定時間、前記ＧＰＳ端末装置をオンとし前記Ｂｌｕｅｔｏｏｔｈ端末装置をオフとし、つづいて所定時間、前記Ｂｌｕｅｔｏｏｔｈ端末装置をオンとし前記ＧＰＳ端末装置をオフとする動作を、交互に繰り返す排他制御を行う端末管理制御装置を備えている、ことを特徴とする複合情報端末装置。
【請求項９】
携帯電話端末装置、ＧＰＳ端末装置、及びＢｌｕｅｔｏｏｔｈ端末装置を一体に備えた複合情報端末装置であって、
前記携帯電話端末装置、前記ＧＰＳ端末装置、及び前記Ｂｌｕｅｔｏｏｔｈ端末装置のいずれかの電源オンの要求が入力された際に、現在オン状態の端末装置と併せて、前記携帯電話端末装置、前記ＧＰＳ端末装置、前記Ｂｌｕｅｔｏｏｔｈ端末装置の三つがオンに設定されるものであることを検出した場合、記憶装置に予め記憶されている管理情報を読み出し、前記管理情報の設定値に基づき、前記携帯電話端末装置、前記ＧＰＳ端末装置、及び前記Ｂｌｕｅｔｏｏｔｈ端末装置のうち二つをオンとし、残りの一つをオフとするか、あるいは、
前記携帯電話端末装置は常時オンとし、所定時間、前記ＧＰＳ端末装置をオンとし前記Ｂｌｕｅｔｏｏｔｈ端末装置をオフとし、つづいて所定時間、前記Ｂｌｕｅｔｏｏｔｈ端末装置をオンとし前記ＧＰＳ端末装置をオフとする動作を、交互に繰り返す排他制御を行う端末管理制御装置を備えたことを特徴とする複合情報端末装置。
【請求項１０】
前記携帯電話端末装置、前記ＧＰＳ端末装置、前記Ｂｌｕｅｔｏｏｔｈ端末装置のいずれかの電源オンの要求が入力された際に、現在オン状態の端末装置と併せて、前記携帯電話端末装置、前記ＧＰＳ端末装置、前記Ｂｌｕｅｔｏｏｔｈ端末装置のうち一つ又は二つがオンに設定される場合には、前記端末管理制御装置は、要求に従い、二つ以下の各端末装置をそのままオン状態とする、ことを特徴とする請求項９記載の複合情報端末装置。
【請求項１１】
前記携帯電話端末装置、前記ＧＰＳ端末装置、前記Ｂｌｕｅｔｏｏｔｈ端末装置の排他的制御状況下で、前記携帯電話端末装置、前記ＧＰＳ端末装置、前記Ｂｌｕｅｔｏｏｔｈ端末装置のいずれかをオフの状態にする指示が入力された場合、前記端末管理制御装置が排他的制御を終了する、ことを特徴とする請求項９又は１０記載の複合情報端末装置。
【請求項１２】
前記携帯電話端末装置、前記ＧＰＳ端末装置、前記Ｂｌｕｅｔｏｏｔｈ端末装置の排他的制御状況下で、前記Ｂｌｕｅｔｏｏｔｈ端末装置と他のＢｌｕｅｔｏｏｔｈ端末装置との通信接続が切断された場合、前記端末管理制御装置は、前記Ｂｌｕｅｔｏｏｔｈ端末装置をオフの状態にし、前記携帯電話端末装置、前記ＧＰＳ端末装置を常にオンの状態に切り換える、ことを特徴とする請求項９乃至１１のいずれか一に記載の複合情報端末装置。
【請求項１３】
前記携帯電話端末装置と前記Ｂｌｕｅｔｏｏｔｈ端末装置をオフするにあたり、前記端末管理制御装置の制御のもと、前記携帯電話端末装置と前記Ｂｌｕｅｔｏｏｔｈ端末装置のそれぞれのＲＦ送信部の電源供給を切替制御する電源スイッチをオフし、前記ＧＰＳ端末装置をオフするにあたり、前記端末管理制御装置の制御のもと、前記ＧＰＳ端末装置のＲＦ受信部の電源供給を切替制御する電源スイッチをオフする、ことを特徴とする請求項９乃至１２のいずれか一に記載の複合情報端末装置。
【請求項１４】
携帯電話端末装置、ＧＰＳ端末装置、Ｂｌｕｅｔｏｏｔｈ端末装置を一体に備えた端末装置の制御方法であって、
前記携帯電話端末装置、前記ＧＰＳ端末装置、前記Ｂｌｕｅｔｏｏｔｈ端末装置のいずれかの電源オンの要求が入力された際に、現在オン状態の端末装置と併せて、前記携帯電話端末装置、前記ＧＰＳ端末装置、前記Ｂｌｕｅｔｏｏｔｈ端末装置の三つがオンに設定されるものであることを検出した場合、記憶装置に予め記憶されている管理情報を読み出し前記管理情報の設定値に基づき、前記携帯電話端末装置、前記ＧＰＳ端末装置、前記Ｂｌｕｅｔｏｏｔｈ端末装置のうち二つをオンとし、残りの一つをオフとするか、あるいは、
前記携帯電話端末装置は常時オンとし、所定時間、前記ＧＰＳ端末装置をオンとし前記Ｂｌｕｅｔｏｏｔｈ端末装置をオフとし、つづいて所定時間、前記Ｂｌｕｅｔｏｏｔｈ端末装置をオンとし前記ＧＰＳ端末装置をオフとする動作を、交互に繰り返す排他制御を行う、ことを特徴とする制御方法。
【請求項１５】
前記携帯電話端末装置、前記ＧＰＳ端末装置、前記Ｂｌｕｅｔｏｏｔｈ端末装置のいずれかの電源オンの要求が入力された際に、現在オン状態の端末装置と併せて、前記携帯電話端末装置、前記ＧＰＳ端末装置、前記Ｂｌｕｅｔｏｏｔｈ端末装置のうち一つ又は二つがオンに設定される場合には、そのまま各端末装置をオンとする、ことを特徴とする請求項１４記載の制御方法。
【請求項１６】
前記携帯電話端末装置、前記ＧＰＳ端末装置、前記Ｂｌｕｅｔｏｏｔｈ端末装置の排他的制御状況下で、前記携帯電話端末装置、前記ＧＰＳ端末装置、前記Ｂｌｕｅｔｏｏｔｈ端末装置のいずれかをオフの状態にする指示が入力された場合、排他的制御を終了する、ことを特徴とする請求項１４又は１５記載の制御方法。
【請求項１７】
前記携帯電話端末装置、前記ＧＰＳ端末装置、前記Ｂｌｕｅｔｏｏｔｈ端末装置の排他的制御状況下で、前記Ｂｌｕｅｔｏｏｔｈ端末装置と他のＢｌｕｅｔｏｏｔｈ端末装置との接続が切断された場合、前記Ｂｌｕｅｔｏｏｔｈ端末装置をオフの状態にし、前記携帯電話端末装置、前記ＧＰＳ端末装置を常にオンの状態に切り換える、ことを特徴とする請求項１４乃至１６のいずれか一に記載の制御方法。
【発明の詳細な説明】
【０００１】
【発明の属する技術分野】
本発明は、携帯端末装置に関し、特に、携帯電話端末装置、ＧＰＳ端末装置、Ｂｌｕｅｔｏｏｔｈ端末装置を一体化した複合情報端末装置及びその制御方法に関する。
【０００２】
【従来の技術】
Ｂｌｕｅｔｏｏｔｈは、スウェーデンのＥｒｉｃｓｓｏｎ社、米ＩＢＭ社、米Ｉｎｔｅｌ  Ｃｏｒｐ．、フィンランドＮｏｋｉａ社、東芝の５社が１９９８年から標準化活動を開始した近距離無線通信技術であり、通信方式にスペクトラム拡散の周波数ホッピング方式を採用しており、音声データや非同期データを１０ｍ程度の近距離で２．４ＧＨｚ帯の周波数帯を使い（帯域は１ＭＨｚで７９個のチャネルを使用する）、伝送実行速度は、Ｖｅｒｓｉｏｎ１．０（１９９９年７月公開）で１Ｍビット／秒）とされ、ＲＦ回路、ベースバンド信号処理回路という下位レイヤ、Ｌ２ＣＡＰ（Ｌｏｇｉｃａｌ  Ｌｉｎｋ  Ｃｏｎｔｒｏｌ  Ａｄａｐｔａｔｉｏｎ  Ｐｒｏｔｏｃｏｌ）、ＲＦＣＯＭＭ、ＳＤＰ（Ｓｅｒｖｉｃｅ  Ｄｉｓｃｏｖｅｒｙ  Ｐｒｏｔｏｃｏｌ）、ＯＢＥＸ（Ｏｂｊｅｃｔ  Ｅｘｃｈａｎｇｅ  Ｐｒｏｔｏｃｏｌ）等のミドルウエア（プロトコルスタック）を規定しており、携帯電話機とパソコン（携帯情報機器、アクセスポイント）とのピアツーピア接続（１対１接続）、さらに、マルチポイント接続が形成される。
【０００３】
また、簡易携帯電話機（ＰＨＳ端末）を備えるとともに、端末の位置情報を取得するためにＧＰＳ受信機（測位装置）を搭載した携帯情報端末等も知られている（例えば特開平９−３２５１８０号公報等参照）。
【０００４】
【発明が解決しようとする課題】
ところで、携帯電話端末装置、ＧＰＳ（Ｇｌｏｂａｌ  Ｐｏｓｉｔｉｏｎｉｎｇ  Ｓｙｓｔｅｍ；全世界測位システム）端末装置、Ｂｌｕｅｔｏｏｔｈ端末装置を一体化した複合情報端末を構成する場合において、例えば、携帯電話端末装置が欧米を中心として使用されているＧＳＭ（Ｇｌｏｂａｌ  Ｓｙｓｔｅｍ  ｆｏｒ  Ｃｏｍｍｉｎｉｃａｔｉｏｎ）方式の携帯電話が用いられている場合、ＧＳＭ携帯電話の送信周波数ｆｃ（８９０〜９１５ＭＨｚ）と、Ｂｌｕｅｔｏｏｔｈの送受信周波数ｆｂｔ（２４００〜２４９７ＭＨｚ）同士の相互変調で生じる差の周波数（ｆｂｔ−ｆｃ）（約１４８５〜１６０７ＭＨｚ）が、ＧＰＳの周波数ｆｇｐｓ（１５７５．４２ＭＨｚ）の妨害波となり、ＧＰＳ端末装置がうまく機能しない可能性が生じる。
【０００５】
この問題を解決するためには、ＧＳＭ携帯電話端末装置、ＧＰＳ端末装置、Ｂｌｕｅｔｏｏｔｈ端末装置を同時に送受信させない、すなわち、常に、どれか一つの端末装置がオフの状態とする必要がある。
【０００６】
したがって本発明は、上記課題を解決するために創案されたものであって、その主たる目的は、携帯電話端末、ＧＰＳ端末、Ｂｌｕｅｔｏｏｔｈ端末を少なくとも含む複合情報端末に適用して好適とされ、各端末の排他的制御を実現し、ＧＰＳ端末の受信への影響を回避する複合情報端末装置及びその制御方法を提供することにある。
【０００７】
【課題を解決するための手段】
前記目的を達成する本発明は、第１の周波数帯を用いて送受信する第１の送受信システムと、第２の周波数帯を用いて送受信する第２の送受信システムと、第３の周波数帯の信号を受信する第１の受信システムと、を少なくとも含み、前記第１の周波数帯の信号と前記第２の周波数帯の信号の相互変調歪が前記第３の周波数帯に重なる周波数成分を有する複合端末装置であって、前記第１の送受信システムと前記第２の送受信システムと前記第１の受信システムのうち、いずれか二つのシステムをオンとするか、あるいは、前記第１の送受信システムと前記第２の送受信システムと前記第１の受信システムのうちの一つのシステムをオンとし、残りの二つのシステムについては、一方をオンとし他方をオフとし、つづいて一方をオフとし他方をオンとするように、交互にオン及びオフさせる制御を行う手段を備える。
【０００８】
より詳細には、本発明は、携帯電話端末装置、ＧＰＳ端末装置、Ｂｌｕｅｔｏｏｔｈ端末装置を備えた端末装置であって、前記携帯電話端末装置、前記ＧＰＳ端末装置、前記Ｂｌｕｅｔｏｏｔｈ端末装置のいずれかの電源オンの要求が入力された際に、前記携帯電話端末装置、前記ＧＰＳ端末装置、前記Ｂｌｕｅｔｏｏｔｈ端末装置の三つがオンに設定されるものであることを検出した場合、前記携帯電話端末装置、前記ＧＰＳ端末装置、前記Ｂｌｕｅｔｏｏｔｈ端末装置のうち二つをオンとし、残りの一つをオフとするか、あるいは、前記携帯電話端末装置は常時オンとし、所定時間、前記ＧＰＳ端末装置をオンとし前記Ｂｌｕｅｔｏｏｔｈ端末装置をオフとし、つづいて所定時間、前記Ｂｌｕｅｔｏｏｔｈ端末装置をオンとし前記ＧＰＳ端末装置をオフとする動作を、交互に繰り返す排他制御を行う端末管理制御装置を備えている。以下の実施例の説明からも明らかとされるように、上記目的は、本願特許請求の範囲の各請求項の発明によっても同様にして達成される。
【０００９】
【発明の実施の形態】
本発明の実施の形態について以下に説明する。本発明は、その好ましい一実施の形態において、無線通信を行う第１の通信装置をなす携帯電話端末装置、第２の通信装置をなすＢｌｕｅｔｏｏｔｈ端末装置（あるいは無線ＬＡＮ端末）、第３の通信装置をなすＧＰＳ端末装置を装置内に一体化してなる複合情報端末装置において、携帯電話端末装置、ＧＰＳ端末装置、そしてＢｌｕｅｔｏｏｔｈ端末装置を排他的に制御する端末管理制御装置を設け、携帯電話端末装置の送受信周波数ｆｃと、Ｂｌｕｅｔｏｏｔｈ端末装置の送受信周波数ｆｂｔ（２４００〜２４９７ＭＨｚ）同士の相互変調（ＩｎｔｅｒＭｏｄｕｌａｔｉｏｎ）によって生じる歪成分のうち周波数（ｆｂｔ−ｆｃ）の、ＧＰＳの周波数ｆｇｐｓ（１５７５．４２ＭＨｚ）への影響を回避するものである。
【００１０】
例えば、携帯電話の周波数ｆｃとして、図１に示されているように、約８２５〜９２２ＭＨｚ帯の周波数を用いている時、携帯電話端末装置，ＧＰＳ端末装置、そしてＢｌｕｅｔｏｏｔｈ端末装置を排他的に制御しないと、携帯電話端末装置の送受信周波数ｆｃとＢｌｕｅｔｏｏｔｈ端末装置の送受信周波数ｆｂｔ（２４００〜２４９７ＭＨｚ）同士の相互変調で生じる差の周波数（ｆｂｔ−ｆｃ）（約１４７８〜１６７２ＭＨｚ）がＧＰＳの周波数の妨害波となり、ＧＰＳがうまく機能しない可能性がある。
【００１１】
そこで、本発明の一実施の形態においては、複合情報端末装置は、図２を参照すると、携帯電話端末装置４０、ＧＰＳ端末装置５０、Ｂｌｕｅｔｏｏｔｈ端末装置６０のオン状態の要求を入力した際に、メモリ装置３０に予め記憶されている管理情報に基づき、携帯電話端末装置４０、ＧＰＳ端末装置５０、Ｂｌｕｅｔｏｏｔｈ端末装置６０のうち二つをオンとするか、あるいは、携帯電話端末装置４０は常時オンとし、所定時間ＧＰＳ端末装置５０をオンとしその間Ｂｌｕｅｔｏｏｔｈ端末装置６０をオフとし、つづいて所定時間Ｂｌｕｅｔｏｏｔｈ端末装置６０をオンとしその間ＧＰＳ端末装置５０をオフとする動作を、交互に繰り返す排他制御を司る端末管理制御装置２０を備えている。
【００１２】
ユーザは、複合情報端末装置１００内部のユーザインターフェース装置１０を介して、携帯電話端末装置４０、ＧＰＳ端末装置５０、Ｂｌｕｅｔｏｏｔｈ端末装置６０のうち、いずれか一つ、あるいは二つ、あるいは全ての端末装置の使用を命令する。
【００１３】
ユーザインターフェース装置１０は、該命令を端末管理制御装置２０に送信する。
【００１４】
端末管理制御装置２０は、該命令を実行する情報や設定をメモリ装置３０から読み込む。
【００１５】
端末管理制御装置２０は、読み込んだ情報に基づき、携帯電話端末装置４０、ＧＰＳ端末装置５０、Ｂｌｕｅｔｏｏｔｈ端末装置６０の全てが同時に送受信することがないように、携帯電話端末装置４０、ＧＰＳ端末装置５０、Ｂｌｕｅｔｏｏｔｈ端末装置６０の電源を排他的にオン、オフ制御する。
【００１６】
本発明の一実施の形態において、携帯電話端末装置４０、ＧＰＳ端末装置６０、Ｂｌｕｅｔｏｏｔｈ端末装置６０の排他的制御状況下で、携帯電話端末装置４０、ＧＰＳ端末装置５０、Ｂｌｕｅｔｏｏｔｈ端末装置６０のいずれかをオフの状態にする指示が入力された場合、端末管理制御装置２０は排他的制御を終了する。
【００１７】
携帯電話端末装置４０、ＧＰＳ端末装置５０、Ｂｌｕｅｔｏｏｔｈ端末装置６０の排他的制御状況下で、Ｂｌｕｅｔｏｏｔｈ端末装置と他のＢｌｕｅｔｏｏｔｈ端末装置との通信接続が切断された場合、端末管理制御装置２０は、Ｂｌｕｅｔｏｏｔｈ端末装置をオフの状態にし、携帯電話端末装置、ＧＰＳ端末装置を常にオンの状態に切り換える制御を行うようにしてもよい。
【００１８】
本発明の一実施の形態における端末管理制御装置２０による端末装置の制御は、Ｂｌｕｅｔｏｏｔｈ端末装置以外にも、無線ＬＡＮ端末等に対しても適用される。すなわち、本発明は、第１の周波数帯を用いて送受信する第１の送受信システムと、第２の周波数帯を用いて送受信する第２の送受信システムと、第３の周波数帯の信号を受信する第１の受信システムと、を少なくとも含み、前記第１の周波数帯の信号と前記第２の周波数帯の信号の相互変調歪が前記第３の周波数帯に重なる周波数成分を有する複合情報端末装置に対しても、同様にして適用され、前記第１の送受信システムと前記第２の送受信システムと前記第１の受信システムのうちいずれか二つのシステムまでをオン状態とするか、あるいは、前記第１の送受信システムと前記第２の送受信システムと前記第１の受信システムのうちの一つのシステムを常時オンとし、残りのシステムのうち二つのシステムを一方がオンのとき他方をオフとするように交互にオン、オフさせる制御を行う。このような制御を行うことで、前記第１の周波数帯の信号と前記第２の周波数帯の信号の相互変調歪が前記第３の周波数帯に影響を及ぼすことを回避することができる。
【００１９】
【実施例】
上記した本発明の実施の形態についてさらに詳細に説明すべく、本発明の実施例について図面を参照して以下に説明する。
【００２０】
図２には、本発明の第１の実施例をなす、携帯電話、ＧＰＳ、Ｂｌｕｅｔｏｏｔｈ一体型端末（「複合情報端末装置」という）の構成が示されている。
【００２１】
図２を参照すると、複合情報端末装置１００は、ユーザインターフェース装置１０と、端末管理制御装置２０と、メモリ装置３０と、携帯電話端末装置４０と、ＧＰＳ端末装置５０と、Ｂｌｕｅｔｏｏｔｈ端末装置６０とを備えて構成されている。
【００２２】
図３は、図２における携帯電話端末装置４０の構成を示す図である。図３を参照すると、携帯電話端末装置４０は、アンテナ部４６と、送受信切り換え部（ＦＤＤ；Ｆｒｅｑｕｅｎｃｙ  Ｄｉｖｉｓｉｏｎ  Ｄｕｐｌｅｘ）４５と、ＲＦ送信部４と、ＲＦ受信部４４と、ベースバンドプロセッサ部４２と、変復調処理及び制御を行うＣＰＵ部４１とを備え、端末管理制御装置２０に接続されたＲＦ電源スイッチ部４７は、端末管理制御装置２０からの制御信号を受けて、ＲＦ送信部４３への直流（ＤＣ）電源の供給をオン及びオフ制御する。ＲＦ送信部４３の電源をオフした場合、ＲＦ受信部４４の電源も併せてオフするようにしてもよい。あるいは、ＲＦ送信部４３の送信信号の信号経路をスイッチ（不図示）で断状態に切り替えることで、ＲＦ送信部４３を非活性化（信号を送信しない送信不可状態に設定）するようにしてもよい。
【００２３】
図４は、図２におけるＧＰＳ端末装置５０の構成を示す図である。図４を参照すると、ＧＰＳ端末装置５０は、アンテナ部５４と、ＲＦ受信部５３と、ベースバンドプロセッサ部５２と、復調処理及び制御を行うＣＰＵ部５１とを備え、端末管理制御装置２０に接続されたＲＦ電源スイッチ部５５は、端末管理制御装置２０からの制御信号を受けて、ＲＦ受信部５３への直流（ＤＣ）電源の供給をオン及びオフ制御する。あるいはＲＦ受信部５３の受信信号の信号経路をスイッチ（不図示）で断状態に切り替えることで、ＲＦ受信部５３を非活性化（信号を受信しない受信不可状態に設定）するようにしてもよい。
【００２４】
図５は、図２におけるＢｌｕｅｔｏｏｔｈ端末装置６０の構成を示す図である（なお、Ｂｌｕｅｔｏｏｔｈソフトウエェアスタックの低位レイヤ構成については、ＢＬＵＥＴＯＯＴＨ  ＳＰＥＣＩＦＩＣＡＴＩＯＮ  Ｖｅｒｓｉｏｎ  １．０Ｂ、１９９９  Ｎｏｖｅｍｖｂｅｒ，  ｐａｇｅ  ５２４、５２５  Ｆｉｇｕｒｅ  １．１、Ｆｉｇｕｒｅ  １．２等が参照される）。図５を参照すると、Ｂｌｕｅｔｏｏｔｈ端末装置６０は、アンテナ部６６と、送受信切り換え部（ＴＤＤ；Ｔｉｍｅ  Ｄｉｖｉｓｉｏｎ  Ｄｕｐｌｅｘ）６５と、ＲＦ送信部６３と、ＲＦ受信部６４と、ホストコントローラ部６２と、端末管理制御装置２０とのインターフェースを司るホスト部６１と、を備え、ホストコントローラ部６２は、その内部に、ホストコントローラインターフェース部６２−１と、ＣＰＵコア部６２−２と、ベースバンドプロセッサ部６２−３とを備えている。ホストコントローラインターフェース部６２−１は、ホスト部６１と、ホストコントローラ部６２との仲介を司り、ＣＰＵコア部６２−２は、他のＢｌｕｅｔｏｏｔｈ端末装置との接続の確立、認証、その他の制御を司り、場合によっては、他のＢｌｕｅｔｏｏｔｈ端末装置のホスト（高位レイヤ）を介さずに、低位のレイヤのＣＰＵコア部同士間で処理し、処理結果をホストに通知するという制御を行う。ベースバンド処理を行うベースバンドプロセッサ部６２−３は、「リンクコントローラ」ともいう。端末管理制御装置２０に接続されたＲＦ電源スイッチ部６７は、端末管理制御装置２０からの制御信号を受けて、ＲＦ送信部６３への直流（ＤＣ）電源の供給をオン、オフ制御する。ＲＦ送信部６３の電源をオフした場合、ＲＦ受信部６４の電源も併せてオフするようにしてもよい。あるいは、ＲＦ送信部６３における増幅器の入力又は出力を接地側に切り替える等、送信信号の信号経路をスイッチ（不図示）で断状態に切り替えることで、ＲＦ送信部６３を非活性化（通信不可状態に設定）するようにしてもよい。
【００２５】
次に、図２乃至図８を参照して、本発明の一実施例の動作について詳細に説明する。
【００２６】
図６には、本発明の一実施例において、端末管理制御装置２０が携帯電話端末装置４０、ＧＰＳ端末装置５０、Ｂｌｕｅｔｏｏｔｈ端末装置６０のうちの一つ、あるいは二つ、あるいは全ての使用を命令された際の制御動作を説明するためのフローチャートが示されており、図７には、端末管理制御装置２０が携帯電話端末装置４０を常に使用した状態で、ＧＰＳ端末装置５０、Ｂｌｕｅｔｏｏｔｈ端末装置６０を交互に制御した時の携帯電話端末装置４０、ＧＰＳ端末装置５０、Ｂｌｕｅｔｏｏｔｈ端末装置６０のオン、オフ状態が示されている。また図８には、端末管理制御装置２０が携帯電話端末装置４０を常に使用した状態で、ＧＰＳ端末装置５０、Ｂｌｕｅｔｏｏｔｈ端末装置６０を交互に制御して使用する際の制御動作を説明するためのフローチャートが示されている。
【００２７】
図６を参照すると、ユーザがユーザインターフェース装置１０を介して、使用したい端末装置Ｘ（Ｘは、携帯電話端末装置４０、あるいはＧＰＳ端末装置５０、あるいはＢｌｕｅｔｏｏｔｈ端末装置６０のいずれか）の使用を命令した時、端末管理制御装置２０は、使用したい端末装置Ｘ、現在使用中の端末装置を確認する（ステップＡ１〜Ａ８）。より詳細には、端末装置Ｘが携帯電話の場合（ステップＡ２のＹＥＳ分岐）、ＧＰＳ端末装置が現在オンでなければ（ステップＡ３のＮＯ分岐）、端末装置Ｘをオンとする（ステップＡ９）。一方、ステップＡ３で、ＧＰＳ端末装置が現在オンの場合（ステップＡ３のＹＥＳ分岐）、Ｂｌｕｅｔｏｏｔｈ端末装置がオフの場合（ステップＡ４のＮＯ分岐）、端末装置Ｘをオンとする（ステップＡ９）。一方、ステップＡ４において、Ｂｌｕｅｔｏｏｔｈ端末装置がオンの場合、三つの端末装置がオンとなることから、ステップＡ１３へ分岐する。
【００２８】
ステップＡ２で、使用したい端末装置Ｘが携帯電話でない場合（ステップＡ２のＮＯ分岐）、携帯電話端末装置がオフの場合（ステップＡ５のＮＯ分岐）、端末装置Ｘをオンとする（ステップＡ１０）。携帯電話端末装置がオンの場合（ステップＡ５のＹＥＳ分岐）、使用したい端末装置ＸがＧＰＳ端末装置の場合（ステップＡ６のＹＥＳ分岐）、Ｂｌｕｅｔｏｏｔｈ端末装置がオフの場合（ステップＡ４のＮＯ分岐）、ＧＰＳ端末装置をオンとする（ステップＡ９）。ステップＡ６において、使用したい端末装置ＸがＧＰＳ端末装置でない場合（ステップＡ６のＮＯ分岐）、使用したい端末装置ＸがＢｌｕｅｔｏｏｔｈ端末装置でない場合（ステップＡ７のＮＯ分岐）、エラーとする（ステップＡ１２）。ステップＡ７において、使用したい端末装置ＸがＢｌｕｅｔｏｏｔｈ端末装置である場合（ステップＡ７のＹＥＳ分岐）、ＧＰＳ端末装置がオフの場合には、使用したい端末装置Ｘ（Ｂｌｕｅｔｏｏｔｈ端末装置）をオンとし（ステップＡ１１）、ＧＰＳ端末装置がオンの場合、ステップＡ１３に分岐する。
【００２９】
このように、図６のステップＡ１〜Ａ７の過程で、端末管理制御装置２０が使用したい端末装置Ｘが確認できなければ、ユーザインターフェース装置１０にエラーを返す（ステップＡ１２）。
【００３０】
また、使用したい端末装置Ｘと、現在使用中の端末装置の合計数が二つ以下である場合、使用したい端末装置Ｘをオンの状態にする（ステップＡ９〜Ａ１１）。
【００３１】
使用したい端末装置Ｘと、現在使用中の端末装置の合計数が三つになる場合、端末管理制御装置２０は、ユーザが前もって設定した端末管理情報のＭａｎａｇｅｍｅｎｔ  Ｎｕｍｂｅｒ（管理数、以下、「ＭＮ」という）をメモリ装置３０から読み込む（ステップＡ１３）。
【００３２】
ＭＮ値が０の時（ステップＡ１４）、端末管理制御装置２０は、ＧＰＳ端末装置５０をオフ、そして携帯電話端末装置４０、Ｂｌｕｅｔｏｏｔｈ端末装置６０をオンの状態にする（ステップＡ１８）。ＧＰＳ端末装置５０をオフする場合、その旨をユーザに通知し確認するようにしてもよい。
【００３３】
ＭＮ値が１の時（ステップＡ１５）、端末管理制御装置２０は、Ｂｌｕｅｔｏｏｔｈ端末装置６０をオフ、そして携帯電話端末装置４０、ＧＰＳ端末装置５０をオンの状態にする（ステップＡ１９）。Ｂｌｕｅｔｏｏｔｈ端末装置６０をオフする場合、その旨をユーザに通知し確認するようにしてもよい。
【００３４】
ＭＮ値が２の時（ステップＡ１６）、端末管理制御装置２０は、携帯電話端末装置４０をオフ、そしてＧＰＳ端末装置５０、Ｂｌｕｅｔｏｏｔｈ端末装置６０をオンの状態にする（ステップＡ２０）。携帯電話端末装置４０をオフする場合、その旨をユーザに通知し確認するようにしてもよい。
【００３５】
ＭＮ値が３の時（ステップＡ１７）、図７を参照すると、端末管理制御装置２０は、携帯電話端末装置４０を常にオンの状態のまま、ユーザが設定した、あるいは複合情報端末１００で設定されていた一定時間（ＧＰＳ端末装置５０がオンの時間を「Ｔｇｐｓ時間」という）、ＧＰＳ端末装置５０をオン、Ｂｌｕｅｔｏｏｔｈ端末装置６０をオフの状態と、ユーザが設定した、あるいは複合情報端末１００で設定されていた一定時間（Ｂｌｕｅｔｏｏｔｈ端末装置６０がオンの時間を「Ｔｂｔ時間」という）、ＧＰＳ端末装置５０をオフ、Ｂｌｕｅｔｏｏｔｈ端末装置６０をオンの状態とを交互に切り換える制御を行う（ステップＡ２１）。
【００３６】
ＭＮ値が０、１、２、３以外の値である場合には、端末管理制御装置２０は、ユーザインターフェース装置１０にエラーを返す（ステップ２２）。
【００３７】
次に、図８を参照すると、ＭＮ値が３で携帯電話端末装置４０を常にオンの状態のまま、Ｔｇｐｓ時間ＧＰＳ端末装置５０をオン、Ｂｌｕｅｔｏｏｔｈ端末装置６０をオフの状態と、Ｔｂｔ時間ＧＰＳ端末装置５０をオフ、Ｂｌｕｅｔｏｏｔｈ端末装置６０をオンの状態とを交互に切り換える制御を行うことが決定した（図６においてステップＡ２１、図８においてステップＢ１）後、端末管理制御装置２０は、今現在、Ｂｌｕｅｔｏｏｔｈ端末装置６０がオンの状態であるかを確認する（ステップＢ２）。
【００３８】
そして、Ｂｌｕｅｔｏｏｔｈ端末装置６０がオンの状態であるならば、Ｂｌｕｅｔｏｏｔｈ端末装置６０が、他のＢｌｕｅｔｏｏｔｈ端末との接続を確立しているかどうかを確認する（ステップＢ３）。
【００３９】
Ｂｌｕｅｔｏｏｔｈ端末装置６０が、他のＢｌｕｅｔｏｏｔｈ端末との接続を確立しているならば、その接続タイプがＳＣＯかＡＣＬかを確認する（ステップＢ４、Ｂ５）。ここで、「ＳＣＯ」は同期通信、「ＡＣＬ」は非同期通信を意味する。
【００４０】
端末管理制御装置２０は、接続タイプがＳＣＯ、あるいはＳＣＯ、ＡＣＬどちらでもない場合には、ユーザインターフェース装置１０に、エラーを返す（ステップＢ６）。
【００４１】
接続タイプがＡＣＬである場合、端末管理制御装置２０がＢｌｕｅｔｏｏｔｈ端末装置６０のインターフェース部をなすホスト（Ｈｏｓｔ）（図５の６１）に、信号の送受信保留を命令する（ステップＢ７）。
【００４２】
それに応答して、Ｂｌｕｅｔｏｏｔｈ端末装置６０のホストは、Ｂｌｕｅｔｏｏｔｈ端末装置６０の制御部をなすホストコントローラ（Ｈｏｓｔ  Ｃｏｎｔｒｏｌｌｅｒ（図５の６２）に、
送受信保留命令（ＨＣＩ＿Ｈｏｌｄ＿Ｍｏｄｅ）と、
そのパラメータの接続番号（Ｃｏｎｎｅｃｔｉｏｎ＿Ｈａｎｄｌｅ）、
最大保留時間（Ｈｏｌｄ＿Ｍｏｄｅ＿Ｍａｘ＿Ｉｎｔｅｒｖａｌ）、
最小保留時間（Ｈｏｌｄ＿Ｍｏｄｅ＿Ｍｉｎ＿Ｉｎｔｅｒｖａｌ）
を送信する。
【００４３】
次に、Ｂｌｕｅｔｏｏｔｈ端末装置６０のホストは、Ｂｌｕｅｔｏｏｔｈ端末装置６０のホストコントローラから、
第１命令回答（Ｃｏｍｍａｎｄ  Ｓｔａｔｕｓ）と、
そのパラメータの命令遂行状況（Ｓｔａｔｕｓ）、
送信可能命令パケット数（Ｎｕｍ＿ＨＣＩ＿Ｃｏｍｍａｎｄ＿Ｐａｃｋｅｔｓ）、
実行命令番号（Ｃｏｍｍａｎｄ＿Ｏｐｃｏｄｅ）
を受信する（ステップＢ８）。
【００４４】
端末管理制御装置２０は、Ｂｌｕｅｔｏｏｔｈ端末装置６０のホストコントローラから、命令遂行状況（Ｓｔａｔｕｓ）を受け取り、その命令遂行状況（Ｓｔａｔｕｓ）から、命令が正常か否かを確認し（ステップＢ９）、正常でなければ、ユーザインターフェース装置１０にエラーを返す（ステップＢ１６）。
【００４５】
命令遂行状況（Ｓｔａｔｕｓ）が正常である場合、Ｂｌｕｅｔｏｏｔｈ端末装置６０のホストは、Ｂｌｕｅｔｏｏｔｈ端末装置６０のホストコントローラから、
第２命令回答（Ｍｏｄｅ  Ｃｈａｎｇｅ）と、
そのパラメータの命令遂行状況（Ｓｔａｔｕｓ）、
接続番号（Ｃｏｎｎｅｃｔｉｏｎ＿Ｈａｎｄｌｅ）、
現在のＢｌｕｅｔｏｏｔｈ端末装置状況（Ｃｕｒｒｅｎｔ＿Ｍｏｄｅ）、
送受信保留時間（Ｉｎｔｅｒｖａｌ）
を受信する（ステップＢ１０）。
【００４６】
端末管理制御装置２０は、その命令遂行状況（Ｓｔａｔｕｓ）から、命令が正常か、現在のＢｌｕｅｔｏｏｔｈ端末装置状況（Ｃｕｒｒｅｎｔ＿Ｍｏｄｅ）から送受信保留状況かを確認し（ステップＢ１１）、命令が正常でないか、あるいは送受信保留状況でないならば、ユーザインターフェース装置１０に、エラーを返す（ステップＢ１６）。
【００４７】
命令が正常であり、更に、送受信保留状況である場合、端末管理制御装置２０は、ＧＰＳ端末装置５０をＴｇｐｓ時間オンの状態にする（ステップＢ１２）。
【００４８】
端末管理制御装置２０は、Ｔｇｐｓ時間経過後、ＧＰＳ端末装置５０をオフの状態にする（ステップＢ１３）。
【００４９】
次に、Ｂｌｕｅｔｏｏｔｈ端末装置６０のホストは、Ｂｌｕｅｔｏｏｔｈ端末装置６０のホストコントローラから、
第３命令回答（Ｍｏｄｅ  Ｃｈａｎｇｅ）と、
そのパラメータの命令遂行状況（Ｓｔａｔｕｓ）、
接続番号（Ｃｏｎｎｅｃｔｉｏｎ＿Ｈａｎｄｌｅ）、
現在のＢｌｕｅｔｏｏｔｈ端末装置状況（Ｃｕｒｒｅｎｔ＿Ｍｏｄｅ）、
送受信保留時間（Ｉｎｔｅｒｖａｌ）
を受信する（ステップＢ１４）。
【００５０】
端末管理制御装置２０は、その命令遂行状況（Ｓｔａｔｕｓ）から、命令が正常であるか、現在のＢｌｕｅｔｏｏｔｈ端末装置状況（Ｃｕｒｒｅｎｔ＿Ｍｏｄｅ）から送受信再開状況かを確認し（ステップＢ１５）、命令が正常でないか、あるいは、送受信再開状況でない場合には、ユーザインターフェース装置１０に、エラーを返す（ステップＢ１６）。
【００５１】
一方、命令が正常であり、更に、送受信再開状況である場合、端末管理制御装置２０は、ＧＰＳ端末装置５０を、Ｔｂｔ時間、送受信可能な状態にする（ステップＢ１７）。
【００５２】
そして、Ｔｂｔ時間経過後、端末管理制御装置２０が、Ｂｌｕｅｔｏｏｔｈ端末装置６０のホストに、再び、送受信保留を命令する（ステップＢ７）。
【００５３】
以降、ステップＢ７〜Ｂ１７までの過程を繰り返す。
【００５４】
一方、ステップＢ２において、Ｂｌｕｅｔｏｏｔｈ端末装置６０がオフ状態の場合、端末管理制御装置２０は、ＧＰＳ端末装置５０を、オフ状態にする（ステップＢ１８）。
【００５５】
次に、Ｂｌｕｅｔｏｏｔｈ端末装置６０が、他のＢｌｕｅｔｏｏｔｈ端末装置とＡＣＬ接続の確立を希望しているかについて、ユーザインターフェース装置１０に確認する（ステップＢ１９）。
【００５６】
もし、希望するなら、Ｂｌｕｅｔｏｏｔｈ端末装置６０と他のＢｌｕｅｔｏｏｔｈ端末装置のＡＣＬ接続を確立させる（ステップＢ２０）。
【００５７】
そして、Ｂｌｕｅｔｏｏｔｈ端末装置６０を、Ｔｂｔ時間、送受信可能な状態にする（ステップＢ１７）。
【００５８】
Ｔｂｔ時間経過後、端末管理制御装置２０が、Ｂｌｕｅｔｏｏｔｈ端末装置６０のホストに、再び、送受信保留を命令する（ステップＢ７）。
【００５９】
以降、ステップＢ７〜Ｂ１７までの過程を繰り返す。
【００６０】
また、ステップＢ１９において、Ｂｌｕｅｔｏｏｔｈ端末装置６０が他のＢｌｕｅｔｏｏｔｈ端末装置と、ＡＣＬ接続の確立をユーザがユーザインターフェース装置１０を介して希望していない時、端末管理制御装置２０が、Ｂｌｕｅｔｏｏｔｈ端末装置６０を、Ｔｂｔ時間オンの状態にする（ステップＢ２１）。
【００６１】
そして、Ｔｂｔ時間経過後、端末管理制御装置２０は、Ｂｌｕｅｔｏｏｔｈ端末装置６０をオフ状態にして、ＧＰＳ端末装置５０を、Ｔｇｐｓ時間オン状態にする（ステップＢ２２）。
【００６２】
Ｔｇｐｓ時間経過後、端末管理制御装置２０は、ＧＰＳ端末装置５０をオフ状態にする（ステップＢ１８）。
【００６３】
そして、再び、Ｂｌｕｅｔｏｏｔｈ端末装置６０が他のＢｌｕｅｔｏｏｔｈ端末装置とＡＣＬ接続の確立を希望しているかについて、ユーザインターフェース装置１０に確認する（ステップＢ１９）。
【００６４】
以降、ユーザがユーザインターフェース装置１０を介してＢｌｕｅｔｏｏｔｈ端末装置６０と他のＢｌｕｅｔｏｏｔｈ端末装置のＡＣＬ接続確立を希望しない限り、ステップＢ１９、Ｂ２１、Ｂ２２、Ｂ１８までの過程を繰り返す。
【００６５】
また、ステップＢ３において、Ｂｌｕｅｔｏｏｔｈ端末装置６０が他のＢｌｕｅｔｏｏｔｈ端末装置との接続を確立していない時、端末管理制御装置２０がＢｌｕｅｔｏｏｔｈ端末装置６０が他のＢｌｕｅｔｏｏｔｈ端末装置とＡＣＬ接続の確立を希望しているかについて、ユーザインターフェース装置１０に確認する（ステップＢ１９）。
【００６６】
次に、本発明の第２の実施例について図面を参照して詳細に説明する。本発明の第２の実施例は、前記実施例で説明した端末管理制御装置２０が、携帯電話端末装置４０を、常にオンの状態のまま、Ｔｇｐｓ時間ＧＰＳ端末装置５０をオン、Ｂｌｕｅｔｏｏｔｈ端末装置６０をオフの状態と、Ｔｂｔ時間ＧＰＳ端末装置５０をオフ、Ｂｌｕｅｔｏｏｔｈ端末装置６０をオンの状態とを交互に切り換える排他的制御（図６のステップＡ２１）行っている途中に、ユーザが、ユーザインターフェース装置１０を介して、ある端末装置をオフの状態にするように命令を行った時に、端末管理制御装置２０は、ユーザが命令した端末装置をオフとし、端末装置の排他制御を停止し、他の二つの端末装置を常時オンとする。例えば、携帯電話装置をオフとする場合、交互にオン、オフに切り換えられていたＧＰＳ端末装置５０、Ｂｌｕｅｔｏｏｔｈ端末装置６０を、常にオンの状態とする。
【００６７】
図９及び図１０は、本発明の第２の実施例の処理を説明するための流れ図である。図９及び図１０を参照して、本発明の第２の実施例の動作について以下に説明する。
【００６８】
図９を参照すると、ユーザがユーザインターフェース装置１０を介して、使用したい端末装置（携帯電話端末装置４０、あるいはＧＰＳ端末装置５０、あるいはＢｌｕｅｔｏｏｔｈ端末装置６０のいずれか）の使用を命令した時の端末管理制御装置２０が制御する過程は、前述した第１の実施例（図６のステップＡ１〜Ａ２２）と同様である。
【００６９】
端末管理制御装置２０は、携帯電話端末装置４０を常にオンの状態のまま、一定時間ＧＰＳ端末装置５０をオン、Ｂｌｕｅｔｏｏｔｈ端末装置６０をオフの状態と、一定時間ＧＰＳ端末装置５０をオフ、Ｂｌｕｅｔｏｏｔｈ端末装置６０をオンの状態とを交互に切り換える排他的制御（ステップＡ２１）することになった場合、端末管理制御装置２０は、メモリ装置３０に、排他的制御情報であるＥｘｃｌｕｓｉｖｅ  Ｃｏｎｔｒｏｌ  Ｎｕｍｂｅｒ（「ＥＣＮ」という）の値に１を書き込む（ステップＡ２３）。
【００７０】
図１０を参照すると、ユーザがユーザインターフェース装置１０を介してある端末装置（端末装置Ｘ）をオフの状態にするように命令（指示）した時（ステップＣ１）に、端末管理制御装置２０は、メモリ装置３０からＥＣＮ値を読み込む（ステップＣ２）。
【００７１】
ＥＣＮ値が０である場合には、端末管理制御装置２０は、ユーザがオフの状態にするように命令した端末装置Ｘをオフの状態にする（ステップＣ３、Ｃ７、Ｃ８）。
【００７２】
ＥＣＮ値が１であり、ユーザがオフの状態にするように指示した端末装置Ｘが携帯電話端末装置４０である場合、端末管理制御装置２０は、携帯電話端末装置４０をオフの状態にして、更にＧＰＳ端末装置５０、Ｂｌｕｅｔｏｏｔｈ端末装置６０を常にオンの状態とし、メモリ装置３０において、ＥＣＮの値を０に書き込む（ステップＣ３、Ｃ４，Ｃ１０、Ｃ１３）。
【００７３】
ＥＣＮ値が１であり、ユーザがオフの状態にするように指示した端末装置ＸがＧＰＳ端末装置５０である場合、端末管理制御装置２０は、ＧＰＳ端末装置５０をオフの状態にして、更に、携帯電話端末装置４０、Ｂｌｕｅｔｏｏｔｈ端末装置６０を常にオンの状態とし、そしてメモリ装置３０にＥＣＮの値を０に書き込む（ステップＣ３、Ｃ４，Ｃ１１、Ｃ１３）。
【００７４】
ＥＣＮ値が１であり、ユーザがオフの状態にするように指示した端末装置ＸがＢｌｕｅｔｏｏｔｈ端末装置６０である場合、端末管理制御装置２０は、Ｂｌｕｅｔｏｏｔｈ端末装置６０をオフの状態にして、更に携帯電話端末装置４０、ＧＰＳ端末装置５０を常にオンの状態とし、そしてメモリ装置３０にＥＣＮの値を０に書き込む（ステップＣ３、Ｃ４、Ｃ１２、Ｃ１３）。
【００７５】
ＥＣＮ値が１であり、ユーザがオフの状態にするように指示した端末装置Ｘが確認できない場合には、端末管理制御装置２０は、ユーザインターフェース装置１０にエラーを返す（ステップＣ３、Ｃ１４）。
【００７６】
ＥＣＮ値が０、１でない時、端末管理制御装置２０は、ユーザインターフェース装置１０にエラーを返す（ステップＣ３、Ｃ４、Ｃ９）。
【００７７】
次に、本発明の第３の実施例について図面を参照して詳細に説明する。本発明の第３の実施例は、Ｂｌｕｅｔｏｏｔｈ端末装置６０とＡＣＬ接続（非同期接続）を確立している、あるＢｌｕｅｔｏｏｔｈ端末装置とのＡＣＬ接続が、あるＢｌｕｅｔｏｏｔｈ端末装置の希望で、ＡＣＬ接続が切断された時、端末管理制御装置２０が、Ｂｌｕｅｔｏｏｔｈ端末装置６０をオフの状態にする制御を行う点で、前記第１の実施例と相違している。
【００７８】
図１１は、本発明の第３の実施例の処理を説明するための流れ図である。本発明の第３の実施例の動作について以下に説明する。
【００７９】
図１１を参照すると、端末管理制御装置２０は、Ｂｌｕｅｔｏｏｔｈ端末装置６０のＨｏｓｔを介して、Ｂｌｕｅｔｏｏｔｈ端末装置６０のホストコントローラからあるＢｌｕｅｔｏｏｔｈとの接続切断報告（ＤｉｓｃｏｎｎｅｃｔｉｏｎＣｏｍｐｌｅｔｅ）と、そのパラメータの命令遂行状況（Ｓｔａｔｕｓ）、切断された接続番号（Ｃｏｎｎｅｃｔｉｏｎ＿Ｈａｎｄｌｅ）、切断理由（Ｒｅａｓｏｎ）を受信する（ステップＤ１）。
【００８０】
端末管理制御装置２０は、その命令遂行状況（Ｓｔａｔｕｓ）から、命令が正常かを確認し、正常でなければ、この第３の実施例の制御を終了する（ステップＤ２、Ｄ６）。
【００８１】
命令が正常である場合、次にメモリ装置３０からＥＣＮ値を読み込む（ステップＤ２、Ｄ３）。
【００８２】
ＥＣＮ値が０の場合、端末管理制御装置２０は、この第３の実施例の制御を終了する（ステップＤ３、Ｄ６）。
【００８３】
ＥＣＮ値が１の場合、端末管理制御装置２０は、Ｂｌｕｅｔｏｏｔｈ端末装置６０が、他のＢｌｕｅｔｏｏｔｈ端末とのＡＣＬ接続が確立しているか否かを確認する（ステップＤ３、Ｄ４）。
【００８４】
ＡＣＬ接続が確立している場合、端末管理制御装置２０は、この第３の実施例の制御を終了する（ステップＤ４、Ｄ６）。
【００８５】
ＡＣＬ接続が確立していない場合、端末管理制御装置２０は、Ｂｌｕｅｔｏｏｔｈ端末装置６０をオフの状態にする制御（前記第２の実施例）に移行する（ステップＤ４、Ｄ５）。
【００８６】
以上、本発明を上記各実施例に即して説明したが、前記実施例の説明で参照した図面の内容は、本発明を例示的に説明するためのものであり、本発明は、上記実施例の構成にのみ限定されるものでなく、本願特許請求の範囲の各請求項の発明の範囲で当業者であればなし得るであろう各種変形、修正を含むことは勿論である。
【００８７】
【発明の効果】
以上説明したように、本発明によれば下記記載の効果を奏する。
【００８８】
本発明の第１の効果は、携帯電話端末装置、ＧＰＳ端末装置、Ｂｌｕｅｔｏｏｔｈ端末装置を一体に備えた装置において、各端末の送受信を排他的に制御することにより、ＧＰＳ端末装置の受信の影響を回避することができる、ということである。
【００８９】
本発明の第２の効果は、携帯電話端末装置、あるいはＧＰＳ端末装置、あるいはＢｌｕｅｔｏｏｔｈ端末装置のいずれかをオフの状態にすることにより、排他的制御をされていた携帯電話端末装置、ＧＰＳ端末装置、Ｂｌｕｅｔｏｏｔｈ端末装置を通常の制御に切り換えることができる、ということである。
【図面の簡単な説明】
【図１】本発明の原理を説明するための図であり、周波数帯を模式的の示す図である。
【図２】本発明の一実施例（第１の実施例）をなす端末の構成を示す図である。
【図３】本発明の一実施例の端末における携帯電話端末装置の構成を示す図である。
【図４】本発明の一実施例の端末におけるＧＰＳ端末装置の構成を示す図である。
【図５】本発明の一実施例の端末におけるＢｌｕｅｔｏｏｔｈ端末装置の構成を示す図である。
【図６】本発明の一実施例の動作を説明するための流れ図である。
【図７】本発明の一実施例の動作を模式的に示す図である。
【図８】本発明の一実施例の動作を説明するための流れ図である。
【図９】本発明の第２の実施例の動作を説明するための流れ図である。
【図１０】本発明の第２の実施例の動作を説明するための流れ図である。
【図１１】本発明の第３の実施例の動作を説明するための流れ図である。
【符号の説明】
１０  ユーザインターフェース装置
２０  端末管理制御装置
３０  メモリ装置
４０  携帯電話端末装置
４１  ＣＰＵ部
４２  ベースバンド（ＢａｓｅＢａｎｄ）プロセッサ部
４３  ＲＦ送信部
４４  ＲＦ受信部
４５  送受信切り替え部
４６  アンテナ部
４７  ＲＦ電源スイッチ部
５０  ＧＰＳ端末装置
５１  ＣＰＵ部
５２  ベースバンド（ＢａｓｅＢａｎｄ）プロセッサ部
５３  ＲＦ受信部
５４  アンテナ部
６０  Ｂｌｕｅｔｏｏｔｈ端末装置
６１  ホスト部
６２  ホストコントローラ部
６２−１  ホストコントローラインターフェース部
６２−２  ＣＰＵコア部
６２−３  ベースバンド（ＢａｓｅＢａｎｄ）プロセッサ部
６３  ＲＦ送信部
６４  ＲＦ受信部
６５  送受信切り替え部
６６  アンテナ部
６７  ＲＦ電源スイッチ部
１００  複合情報端末装置
【図１】
0003560149.tif 000002
【図２】
0003560149.tif 000003
【図３】
0003560149.tif 000004
【図４】
0003560149.tif 000005
【図５】
0003560149.tif 000006
【図６】
0003560149.tif 000007
【図７】
0003560149.tif 000008
【図８】
0003560149.tif 000009
【図９】
0003560149.tif 000010
【図１０】
0003560149.tif 000011
【図１１】
0003560149.tif 000012